(57)【要約】非接触スマートカード呼掛け装置（１）においては、第八波伝送線路（１３）の第１端部（Ａ）は、第１の受信機（１６）を伝送線路（１４）に接続する端子に接続され、第八波伝送線路（１３）の第２端部（Ｂ）には搬送波発生装置（１１）が接続される。第八波伝送線路（１３）の第１端部（Ａ）には第１の振幅復調受信機（１６）が接続され、第八波伝送線路（１３）の第２端部（Ｂ）には第２の振幅復調受信機（１６’）が接続される。本発明の非接触スマートカード呼掛け装置においては、受動素子によって位相変調を振幅変調に変えることにより振幅復調を有効に利用できるようになり、しかしそれによりシステムにノイズ源は導入されない。【特許請求の範囲】
【請求項１】
アンテナ（１５）から受信機への伝送線路を介して振幅変調と位相変調との間で信号変調が変化し、搬送波発生装置（１１）及び第１の振幅復調受信機（１６）を有し、搬送波発生装置（１１）及び第１の振幅復調受信機（１６）が伝送線路（１４）を介してアンテナ（１５）に接続されている非接触スマートカード呼掛け装置において、
第１の振幅復調受信機（１６）を伝送線路（１４）に接続する端子に、第八波伝送線路（１３）の第１端部（Ａ）が接続され、第八波伝送線路（１３）の第２端部（Ｂ）には搬送波発生装置（１１）が接続され、
また、第八波伝送線路（１３）の第１端部（Ａ）には、第１の振幅復調受信機（１６）が接続され、第八波伝送線路（１３）の第２端部（Ｂ）には、第２の振幅復調受信機（１６’）が接続されること
を特徴とする非接触スマートカード呼掛け装置。
【請求項２】
アンテナ（１５）から受信機への伝送線路を介して振幅変調と位相変調との間で信号変調が変化し、搬送波発生装置（１１）及び第１の振幅復調受信機（１６）を有し、搬送波発生装置（１１）及び第１の振幅復調受信機（１６）が伝送線路（１４）を介してアンテナ（１５）に接続されている非接触スマートカード呼掛け装置において、
第１の振幅復調受信機（１６）を伝送線路（１４）に接続する端子に、第八波伝送線路（１３）の第１端部（Ａ）が接続され、第八波伝送線路（１３）の第２端部（Ｂ）には搬送波発生装置（１１）が接続され、
また、第１の振幅復調受信機（１６）が、第八波伝送線路（１３）の第１端部（Ａ）及び第２端部（Ｂ）に交互に接続されること
を特徴とする非接触スマートカード呼掛け装置。
【請求項３】
第八波伝送線路（１３）が搬送波位相を４５°移相させるフィルターとして構成されていることを特徴とする請求項１又は２記載の非接触スマートカード呼掛け装置。
【請求項４】
搬送波発生装置（１１）が、搬送波の高調波を減衰させるインピーダンス整合フィルター（１２）を介して第八波伝送線路（１３）の第２端部（Ｂ）に接続されていることを特徴とする請求項１〜３のいずれか一項記載の非接触スマートカード呼掛け装置。
【発明の詳細な説明】
【技術分野】
【０００１】
本発明は、アンテナから受信機への伝送線路を介して振幅と位相との間で信号変調が変化し、搬送波発生装置及び第１の振幅復調受信機を有し、搬送波発生装置及び第１の振幅復調受信機が伝送線路を介してアンテナに接続されている非接触スマートカード呼掛け装置に関するものである。呼掛け装置は、振幅変調信号としてスマートカード内に発生した信号の振幅復調が有効になされ得るように改善される。
【背景技術】
【０００２】
無線周波数データ伝送による識別は新しい応用領域に迅速に広まっている。本発明の主題は、一つ又は幾つかのスマートカードを有し、かかる識別方法を実施するシステムにおける呼掛け装置に限定される。非接触スマートカード呼掛け装置は、例えば周波数１３．５６ＭＨｚの搬送波発生装置及び受信機、通常振幅復調受信機を有し、搬送波発生装置及び受信機は伝送線路を介してアンテナに接続される。呼掛け装置のアンテナは無線周波数波の形態で搬送波を送信し、そして無線周波数波を受信し、搬送波を受信した時に無線周波数波は振幅変調されて、スマートカードのアンテナに伝送される。その後、受信した信号は呼掛け装置によって識別される。
【０００３】
呼掛け装置のアンテナにおいて、スマートカード発振回路で振幅変調されそしてスマートカードのアンテナから伝送される信号によって、信号が発生され、アンテナの端子で、スマートカードのアンテナ及び呼掛け装置のアンテナの共振曲線に関して伝送波周波数の比及び二つのアンテナ間の結合ファクターに依存して上記二つの変調種類の組み合わせに従って振幅変調、位相変調又は変調される。また、受信信号の変調は、呼掛け装置のアンテナの接続端子から受信機入力へのケーブルに沿って変化する。
【０００４】
特許文献１には、スマートカードにおける回路が開示されており、呼掛け装置フィールドに存在する二つ以上のスマートカードにより生じる振幅変調から位相変調への変動は低減される。
【特許文献１】
米国特許第６，２０８，２３５号明細書
【０００５】
上記型式のシステムにおいては、信号変調の位相部分の復調は許容できるようには解決されていない。
【０００６】
９０°以下の変調角をもつ位相変調信号は、通常、フェーズロックループ（ＰＬＬ）をもつ受信機によって復調される。該信号は搬送波の平均位相にロックされ、位相検出器の出力電圧は電流位相差又は位相変調に依存している。しかし、受信機回路（ループフィルター、電圧制御型発振器−ＶＣＯ）は大きく、特にフェーズロックループにおける電圧制御型発振器は支配的な位相ノイズ源となり、システムの特性を制限することになる。
【０００７】
信号変調の位相部分の復調は、信号電圧のゼロ通過におけるサンプリングによって実行され得る。こうして集められたサンプルは任意の瞬時における位相差及び従って復調信号を表している。しかし、１００ｐｓの大きさのオーダーのでの正確で安定したタイミングをもつサンプラーが必要である。また制御パルスの位相ノイズは直接、復調信号にマップされる。
【０００８】
ある生産業者は、スマートカードに別の変調方法を適用しそして非常に感応性の高い受信機を呼掛け装置に設けることによって信号変調の位相部分の復調において生じる困難さを避けるようにした。例えば、適切にコード化したデータで完全に振幅変調した副搬送波をもつ変調は位相によって決して隠されない。復調の後、単に副搬送波の存在だけが重要であり、復調の後の副搬送波の位相は関連しないので、信号は、信号出力が主に位相変調される場合に感応性の非常に高い振幅復調受信機で許容できるように受信される。しかし、このようにして、副搬送波が用いられない時には位相変動もＢＰＳＫ変調も除去されない。
【発明の開示】
【発明が解決しようとする課題】
【０００９】
従って、本発明が解決しようとする課題は、呼掛け装置をそれの振幅復調受信機によってスマートカードを確実に識別できるようにするため、振幅変調信号が用いられる場合にスマートカードに呼掛けを行う回路をどのように改良するかにある。
【課題を解決するための手段】
【００１０】
上記の技術的課題は、アンテナから受信機への伝送線路を介して振幅変調と位相変調との間で信号変調が変化し、搬送波発生装置及び第１の振幅復調受信機を有し、搬送波発生装置及び第１の振幅復調受信機が伝送線路を介してアンテナに接続され、第１の振幅復調受信機を伝送線路に接続する端子に、搬送波位相を４５°移相させるフィルターとして構成され得る第八波伝送線路の第１端部が接続され、第八波伝送線路の第２端部には搬送波発生装置が接続され、また、第八波伝送線路の第１端部には、第１の振幅復調受信機が接続され、第八波伝送線路の第２端部には、第２の振幅復調受信機が接続されることを特徴とする本発明による非接触スマートカード呼掛け装置の第１の実施の形態によって解決される。
【００１１】
上記の技術的課題は、アンテナから受信機への伝送線路を介して振幅変調と位相変調との間で信号変調が変化し、搬送波発生装置及び第１の振幅復調受信機を有し、搬送波発生装置及び第１の振幅復調受信機が伝送線路を介してアンテナに接続され、第１の振幅復調受信機を伝送線路に接続する端子に、搬送波位相を４５°移相させるフィルターとして構成され得る第八波伝送線路の第１端部が接続され、第八波伝送線路の第２端部には搬送波発生装置が接続され、また、第１の振幅復調受信機が、第八波伝送線路の第１端部及び第２端部に交互に接続されることを特徴とする本発明による非接触スマートカード呼掛け装置の第２の実施の形態によっても解決される。
【００１２】
本発明の両方の実施の形態において、非接触スマートカード呼掛け装置は、搬送波発生装置が搬送波の高調波を減衰させるインピーダンス整合フィルターを介して第八波伝送線路の第２端部に接続されていることを特徴としている。
【００１３】
本発明の非接触スマートカード呼掛け装置においては、受動素子によって位相変調を振幅変調に変えることにより振幅復調を有効に利用できるようになり、しかしそれによりシステムにノイズ源は導入されない。
【発明を実施するための最良の形態】
【００１４】
以下、本発明の二つの実施の形態に付いての記載及び第１の実施の形態の回路構成を示す添付図面を参照して本発明をさらに詳細に説明する。
【００１５】
非接触スマートカード２の呼掛け装置１は、搬送波発生装置１１及び振幅復調受信機１６（図面）を有している。これらの装置は伝送線路１４を介してアンテナ１５に接続されている。
【００１６】
受信機１６を伝送線路１４に接続する端子には、第八波伝送線路１３の第１端部Ａが接続され、また第八波伝送線路１３の第２端部Ｂには搬送波発生装置１１が好ましくは整合ＬＣフィルター１２を介して接続され、整合ＬＣフィルター１２は搬送波の高調波を減衰させる。
【００１７】
第八波伝送線路１３は、同軸ケーブル又は搬送波の位相を４５°移相するフィルターによつて構成され得る。５０Ω同軸ケーブル内の誘電体がポリエチレンである場合には、１３．５６ＭＨｚの周波数で、ケーブルの長さは１．８２５ｍである。
【００１８】
本発明の呼掛け装置１の第１の実施の形態において、第八波伝送線路１３の第１端部Ａには第１の振幅復調受信機１６が接続され、また第八波伝送線路１３の第２端部Ｂには第２の振幅復調受信機１６’が接続されている。
【００１９】
しかし、本発明の呼掛け装置１の第２の実施の形態においては、振幅復調受信機１６は第八波伝送線路１３の第１端部Ａ及び第２端部Ｂに交互に接続される（図示していない）。
【００２０】
搬送波発生装置１１からの搬送波ＣＷは、整合フィルター１２、第八波伝送線路１３、伝送線路１４及び呼掛け装置のアンテナ１５を介してスマートカード２のアンテナ２１に達する。スマートカードの集積回路２２は搬送波ＣＷからエネルギーを吸収し、それ自体の動作用のクロック信号を取り出し、そしてアンテナ２１を介して呼掛け装置１に向けて振幅変調側波帯波ＳＢＷの形態でスマートカード２における情報を伝送する。呼掛け装置のアンテナ１５において、振幅変調側波帯波ＳＢＷは、アンテナ端子において上記変調の種類の組み合わせに従って振幅変調又は位相変調又は変調される信号を発生する。
【００２１】
呼掛け装置１において受信した信号の変調は、伝送線路１４及び第八波伝送線路１３に沿って受信機の入力まで変化する。搬送波位相に関しては、変調信号の側波帯荷置ける位相は伝送線路１４、１３に沿って変化する。従って、半波長の距離において、スペクトル成分が同位相又は逆位相（振幅又は逆振幅変調）となる状態が見出され得るが、しかし一方向又は別の方向に９０°移相した位置では、一つの又は別の分極化による位相変調が存在する。
【００２２】
第八波伝送線路１３で画定された受信機１６、１６’の間の距離は、常にそれらの一方が支配的に振幅変調した信号を受けるようにされる。受信機１６、１６’が振幅及び位相変調の野等しい部分を受ける場合には受信信号はそれらの一方における純粋な振幅変調における最強信号よりファクター（２）−１／２弱い。
【図面の簡単な説明】
【００２３】
【図１】本発明の第１の実施の形態の回路構成を示す。
【国際公開パンフレット】
2004538697.tif 000002
2004538697.tif 000003
2004538697.tif 000004
2004538697.tif 000005
2004538697.tif 000006
2004538697.tif 000007
2004538697.tif 000008
2004538697.tif 000009
【手続補正書】
【提出日】平成15年6月20日(2003.6.20)
【手続補正１】
【補正対象書類名】特許請求の範囲
【補正対象項目名】全文
【補正方法】変更
【補正の内容】
【特許請求の範囲】
【請求項１】
アンテナ（１５）から受信機への伝送線路を介して振幅変調と位相変調との間で信号変調が変化し、搬送波発生装置（１１）及び第１の振幅復調受信機（１６）を有し、搬送波発生装置（１１）及び第１の振幅復調受信機（１６）が伝送線路（１４）を介してアンテナ（１５）に接続されている非接触スマートカード呼掛け装置（１）において、
振幅復調受信機（１６）を伝送線路（１４）に接続する端子に、第八波伝送線路（１３）の第１端部（Ａ）が接続され、
第八波伝送線路（１３）の第２端部（Ｂ）には搬送波発生装置（１１）が接続され、
また、第八波伝送線路（１３）の第１端部（Ａ）における信号及び第八波伝送線路（１３）の第２端部（Ｂ）における信号が検知されること
を特徴とする非接触スマートカード呼掛け装置。
【請求項２】
第八波伝送線路（１３）の第２端部（Ｂ）に第２の振幅復調受信機（１６’）が接続されることを特徴とする請求項１に記載の非接触スマートカード呼掛け装置。
【請求項３】
振幅復調受信機（１６）が、第八波伝送線路（１３）の第１端部（Ａ）及び第２端部（Ｂ）に交互に接続されることを特徴とする請求項１に記載の非接触スマートカード呼掛け装置。
【請求項４】
第八波伝送線路（１３）が搬送波位相を４５°移相させるフィルターとして構成されていることを特徴とする請求項２又は３に記載の非接触スマートカード呼掛け装置。
【請求項５】
搬送波発生装置（１１）が、搬送波の高調波を減衰させるインピーダンス整合フィルター（１２）を介して第八波伝送線路（１３）の第２端部（Ｂ）に接続されていることを特徴とする請求項２〜４のいずれか一項に記載の非接触スマートカード呼掛け装置。
【手続補正２】
【補正対象書類名】明細書
【補正対象項目名】０００４
【補正方法】変更
【補正の内容】
【０００４】
データパルスは、呼掛け装置と通常組合さった受信手段によって受信され、処理される。特許文献１に提案されたスマートカード回路によって、呼掛け装置フィールドに存在する二つ以上のスマートカードにより生じる振幅変調から位相変調への変動は低減される。
【特許文献１】
米国特許第６，２０８，２３５号明細書


【手続補正３】
【補正対象書類名】明細書
【補正対象項目名】００１０
【補正方法】変更
【補正の内容】
【００１０】
上記の技術的課題は、特許請求の範囲に定義したようにして解決される。


【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【国際調査報告】
2004538697.tif 000010
2004538697.tif 000011
2004538697.tif 000012